(57)【要約】      （修正有）【課題】通話を行うときに一切手を使うことなく利用することができる携帯電話端末を提供する。【解決手段】指向性を有するハンズフリーマイク１３１と、ハンズフリーマイク１３１により得た音声から特定の音声を認識する音声認識部１５４と、音声認識部１５４による認識結果に応じて携帯電話端末１００の動作を制御する携帯電話制御部１５１とを設ける。ハンズフリーマイク１３１及びスピーカ１３２は、携帯電話端末１００の収納形態における上端に配置する。【選択図】図５
2013074574.tif 000002
【特許請求の範囲】
【請求項１】
無線通信により音声通話を行う携帯電話端末であって、
指向性を有する指向性マイクと、
前記指向性マイクにより得た音声から特定の音声を認識する音声認識部と、
当該携帯電話端末の向きを所定の向きに保持するホルダに対して当該携帯電話端末が保持されたことを認証する認証部と、
前記音声認識部による認識結果及び前記認証部による認証結果に応じて当該携帯電話端末の動作を制御する制御部と、
を備える携帯電話端末。
【請求項２】
請求項１に記載の携帯電話端末において、
前記指向性マイクは、当該携帯電話端末の上端又は当該携帯電話端末の収納形態における上端に配置されていること、
を特徴とする携帯電話端末。
【請求項３】
請求項２に記載の携帯電話端末において、
当該携帯電話端末の姿勢を検出する姿勢検出部を有し、
前記制御部は、前記姿勢検出部によって前記指向性マイクの集音性の高い方向が上方を向いていないと判断されるときに、その旨の警告を行うこと、
を特徴とする携帯電話端末。
【請求項４】
請求項１から請求項３までのいずれか１項に記載の携帯電話端末において、
指向性を有する指向性スピーカを備えること、
を特徴とする携帯電話端末。
【請求項５】
請求項４に記載の携帯電話端末において、
前記指向性スピーカは、当該携帯電話端末の上端又は当該携帯電話端末の収納形態における上端に配置されていること、
を特徴とする携帯電話端末。
【請求項６】
請求項４又は請求項５に記載の携帯電話端末において、
前記指向性スピーカによる音声の到達効率が高い方向は、前記指向性マイクによる音声の集音効率が高い方向と同一の方向であること、
を特徴とする携帯電話端末。
【請求項７】
請求項１から請求項６までのいずれか１項に記載の携帯電話端末において、
前記音声認識部は、少なくとも、通話開始と通話終了とを指示する音声を認識すること、
を特徴とする携帯電話端末。
【請求項８】
請求項１から請求項７までのいずれか１項に記載の携帯電話端末において、
前記音声認識部は、利用者個人の音声を特定して音声を認識すること、
を特徴とする携帯電話端末。
【請求項９】
請求項１から請求項８までのいずれか１項に記載の携帯電話端末において、
着信があったときに通話開始を利用者が操作して指示を行う通話操作部と、
前記通話操作部が操作されたこと、及び／又は、前記音声認識部により通話開始を指示する音声が認識されたことによって、通話モードを通常モードとハンズフリーモードとのいずれを利用者が選択したのかを検出する通話モード検出部と、
を備え、
前記制御部は、前記通話モード検出部による検出結果に応じて通話モードを通常モードとハンズフリーモードとのいずれかに切り替えること、
を特徴とする携帯電話端末。
【請求項１０】
請求項１から請求項９までのいずれか１項に記載の携帯電話端末において、
前記指向性マイクが集音する音声から、利用者の音声以外の雑音を軽減するために環境音を集音する環境音マイクを備えること、
を特徴とする携帯電話端末。
【請求項１１】
請求項１から請求項１０までのいずれか１項に記載の携帯電話端末において、
前記ホルダとの間で無接点充電を行う無接点充電部を備えること、
を特徴とする携帯電話端末。
【発明の詳細な説明】
【技術分野】
【０００１】
本発明は、ハンズフリー通話を行うことができる携帯電話端末に関するものである。
【背景技術】
【０００２】
従来から携帯電話端末を用いてハンズフリー通話を行うことが提案されている（例えば、特許文献１）。
また、この特許文献１の機器では、指向性スピーカを用いて即時性と秘話性とを高めることが提案されている。
【先行技術文献】
【特許文献】
【０００３】
【特許文献１】特開２００４−１１２２１３号公報
【発明の概要】
【発明が解決しようとする課題】
【０００４】
しかし、特許文献１の機器では、例えば、着信があったときや通話を終了するとき等には、機器を手で操作することが必要であった。したがって、手を使わずにハンズフリーとなるのは、通話を行っているときだけであった。
【０００５】
本発明の課題は、通話を行うときに一切手を使うことなく利用することができる携帯電話端末を提供することである。
【課題を解決するための手段】
【０００６】
本発明は、上記の課題を解決するために、以下の事項を提案している。なお、理解を容易にするために、本発明の実施形態に対応する符号を付して説明するが、これに限定されるものではない。
【０００７】
（１）本発明は、無線通信により音声通話を行う携帯電話端末（１００）であって、指向性を有する指向性マイク（１３１）と、前記指向性マイクにより得た音声から特定の音声を認識する音声認識部（１５４）と、当該携帯電話端末の向きを所定の向きに保持するホルダ（５００）に対して当該携帯電話端末が保持されたことを認証する認証部（１６４）と、前記音声認識部による認識結果及び前記認証部による認証結果に応じて当該携帯電話端末の動作を制御する制御部（１５１）と、を備える携帯電話端末を提案している。
【０００８】
この発明によれば、指向性マイクは、指向性を有する。音声認識部は、指向性マイクにより得た音声から特定の音声を認識する。認証部は、携帯電話端末の向きを所定の向きに保持するホルダに対して携帯電話端末が保持されたことを認証する。制御部は、音声認識部による認識結果及び前記認証部による認証結果に応じて当該携帯電話端末の動作を制御する。したがって、利用者が発する音声を明瞭に集音でき、その音声のうちの特定の音声をコマンドとして認識して、携帯電話端末の動作を行うことができる。よって、通話を行うときに一切手を使うことなく利用することができる。また、指向性マイクを用いるので、利用者は、大きな声を発する必要が無く、秘話性を高めることができる。
【０００９】
（２）本発明は、（１）に記載の携帯電話端末（１００）において、前記指向性マイク（１３１）は、当該携帯電話端末の上端又は当該携帯電話端末の収納形態における上端に配置されていること、を特徴とする携帯電話端末を提案している。
【００１０】
この発明によれば、指向性マイクは、当該携帯電話端末の上端又は当該携帯電話端末の収納形態における上端に配置されている。したがって、携帯電話端末をポケットに入れたり腰に装着したりした状態で、指向性マイクが利用者の顔に近い側となり、ハンズフリーで通話を行うときに集音しやすくなる。
【００１１】
（３）本発明は、（２）に記載の携帯電話端末（１００）において、当該携帯電話端末の姿勢を検出する姿勢検出部を有し、前記制御部（１５１）は、前記姿勢検出部によって前記指向性マイク（１３１）の集音性の高い方向が上方を向いていないと判断されるときに、その旨の警告を行うこと、を特徴とする携帯電話端末を提案している。
【００１２】
この発明によれば、姿勢検出部は、当該携帯電話端末の姿勢を検出する。制御部は、姿勢検出部によって指向性マイクの集音性の高い方向が上方を向いていないと判断されるときに、その旨の警告を行う。したがって、指向性マイクによって利用者の音声を集音しにくい方向に携帯電話端末が傾く等しても、そのことを利用者に知らせることができる。
【００１３】
（４）本発明は、（１）から（３）までのいずれか１項に記載の携帯電話端末（１００）において、指向性を有する指向性スピーカ（１３２）を備えること、を特徴とする携帯電話端末を提案している。
【００１４】
この発明によれば、指向性スピーカは、指向性を有する。したがって、利用者に対してのみ聞こえるように音声を発することができ、秘話性を高めることができる。また、小さな音量であっても利用者が聞き取ることが可能となり、消費電力の低減も図ることができる。
【００１５】
（５）本発明は、（４）に記載の携帯電話端末（１００）において、前記指向性スピーカ（１３２）は、当該携帯電話端末の上端又は当該携帯電話端末の収納形態における上端に配置されていること、を特徴とする携帯電話端末を提案している。
【００１６】
この発明によれば、指向性スピーカは、当該携帯電話端末の上端又は当該携帯電話端末の収納形態における上端に配置されている。したがって、携帯電話端末をポケットに入れたり腰に装着したりした状態で、指向性スピーカが利用者の顔に近い側となり、ハンズフリーで通話を行うときに小さな音量であっても利用者に音声を届かせることができる。
【００１７】
（６）本発明は、（４）又は（５）に記載の携帯電話端末（１００）において、前記指向性スピーカ（１３２）による音声の到達効率が高い方向は、前記指向性マイク（１３１）による音声の集音効率が高い方向と同一の方向であること、を特徴とする携帯電話端末を提案している。
【００１８】
この発明によれば、指向性スピーカによる音声の到達効率が高い方向は、指向性マイクによる音声の集音効率が高い方向と同一の方向である。したがって、ハンズフリー通話を行うときに、指向性スピーカと指向性マイクの指向性の方向を利用者の顔方向に一致させることにより、より効率のよい集音と音声の発生を行うことができる。
【００１９】
（７）本発明は、（１）から（６）までのいずれか１項に記載の携帯電話端末（１００）において、前記音声認識部（１５４）は、少なくとも、通話開始と通話終了とを指示する音声を認識すること、を特徴とする携帯電話端末を提案している。
【００２０】
この発明によれば、音声認識部は、少なくとも、通話開始と通話終了とを指示する音声を認識する。したがって、着信してから通話の終了まで一切手を使わずに通話を行うことが可能となる。
【００２１】
（８）本発明は、（１）から（７）までのいずれか１項に記載の携帯電話端末（１００）において、前記音声認識部（１５４）は、利用者個人の音声を特定して音声を認識すること、を特徴とする携帯電話端末を提案している。
【００２２】
この発明によれば、音声認識部は、利用者個人の音声を特定して音声を認識する。したがって、利用者以外の人の声により誤動作してしまうことを防止できる。
【００２３】
（９）本発明は、（１）から（８）までのいずれか１項に記載の携帯電話端末（１００）において、着信があったときに通話開始を利用者が操作して指示を行う通話操作部（１１１ａ）と、前記通話操作部が操作されたこと、及び／又は、前記音声認識部（１５４）により通話開始を指示する音声が認識されたことによって、通話モードを通常モードとハンズフリーモードとのいずれを利用者が選択したのかを検出する通話モード検出部（１５２）と、を備え、前記制御部（１５１）は、前記通話モード検出部による検出結果に応じて通話モードを通常モードとハンズフリーモードとのいずれかに切り替えること、を特徴とする携帯電話端末を提案している。
【００２４】
この発明によれば、通話操作部は、着信があったときに通話開始を利用者が操作して指示を行う。通話モード検出部は、通話操作部が操作されたこと、及び／又は、音声認識部により通話開始を指示する音声が認識されたことによって、通話モードを通常モードとハンズフリーモードとのいずれを利用者が選択したのかを検出する。制御部は、通話モード検出部による検出結果に応じて通話モードを通常モードとハンズフリーモードとのいずれかに切り替える。したがって、通常モードとハンズフリーモードとの切り替えを利用者が特に意識することなく簡単に両方のモードを使い分けることができる。
【００２５】
（１０）本発明は、（１）から（９）までのいずれか１項に記載の携帯電話端末（１００）において、前記指向性マイク（１３１）が集音する音声から、利用者の音声以外の雑音を軽減するために環境音を集音する環境音マイク（１３１ｂ）を備えること、を特徴とする携帯電話端末を提案している。
【００２６】
この発明によれば、環境音マイクは、指向性マイクが集音する音声から、利用者の音声以外の雑音を軽減するために環境音を集音する。したがって、雑音成分を抑制して利用者の音声をより明瞭に集音することができ、音声認識の精度を向上することができる。また、通話の音質も向上できる。
【００２７】
（１１）本発明は、（１）から（１０）までのいずれか１項に記載の携帯電話端末（１００）において、前記ホルダ（５００）との間で無接点充電を行う無接点充電部（１６１，１６２，１６３）を備えること、を特徴とする携帯電話端末を提案している。
【００２８】
この発明によれば、無接点充電部は、ホルダとの間で無接点充電を行う。したがって、認証部は、本発明において必要なホルダへの取り付けの認証を、充電認証と兼ねることができる。
【発明の効果】
【００２９】
本発明によれば、通話を行うときに一切手を使うことなく携帯電話端末を利用することができる。
【図面の簡単な説明】
【００３０】
【図１】本実施形態の携帯電話端末１００の収納形態における表面側を示す図である。
【図２】本実施形態の携帯電話端末１００の収納形態における裏面側を示す図である。
【図３】本実施形態の携帯電話端末１００の展開形態を示す図である。
【図４】本実施形態の携帯電話端末１００の保持に用いるホルダ５００を示す図である。
【図５】本実施形態の携帯電話端末１００の内部構成を示すブロック図である。
【図６】携帯電話端末１００の使用形態の一例を示す図である。
【図７】携帯電話端末１００の着信から通話終了までの動作を示すフローチャートである。
【図８】携帯電話端末１００とホルダ５００との間における認証動作を説明する図である。
【発明を実施するための形態】
【００３１】
以下、図面を用いて、本発明の実施形態について詳細に説明する。
なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００３２】
（実施形態）
図１は、本実施形態の携帯電話端末１００の収納形態における表面側を示す図である。
図２は、本実施形態の携帯電話端末１００の収納形態における裏面側を示す図である。
図３は、本実施形態の携帯電話端末１００の展開形態を示す図である。
本実施形態の携帯電話端末１００は、第１の筐体１１０と、第２の筐体１２０とが軸部１３０を中心として折りたたみ可能な携帯電話端末である。
図１には、第１の筐体１１０及び第２の筐体１２０を折りたたんだ収納形態を示している。一方、図２には、第１の筐体１１０及び第２の筐体１２０を開いた展開形態を示している。以下、第１の筐体１１０及び第２の筐体１２０それぞれが折りたたんだときに対向し合う面、すなわち、図２において見えている側の面を表面と呼ぶ。
【００３３】
第１の筐体１１０の表面には、操作キー１１１と、通常モードマイク１１２とが設けられている。なお、第１の筐体１１０の裏面は、図示していないが、カメラのレンズ等を設けてあってもよい。
操作キー１１１は、数字や文字入力、各種選択等を行える操作部材である。操作キー１１１には、発信キー１１１ａと、終了キー１１１ｂとが含まれている。
【００３４】
発信キー１１１ａは、電話を発信するときに操作したり、着信があり電話に出るときに操作して通話開始の指示を行ったりする通話操作部である。なお、着信があったときには、発信キー１１１ａに限らず、終了キー１１１ｂ以外の操作キー１１１を操作することによっても、電話に出ることが可能である。したがって、本実施形態では、終了キー１１１ｂ以外の操作キー１１１は、全て通話操作部として機能する。
【００３５】
終了キー１１１ｂは、通話中に操作することにより、通話を終了する操作キーである。また、終了キー１１１ｂは、各種機能の終了を行うときにも用いられる。さらに、終了キーは、電源のＯＮ／ＯＦＦにも用いられる。
【００３６】
通常モードマイク１１２は、通話モードとして通常モードを実行しているときに、通話時の音声を入力するマイクである。ここで、通常モードとは、携帯電話端末１００を利用者が手に持って、通常モードマイク１１２が利用者の口元付近にあり、後述の通常モードスピーカ１２２が利用者の耳元にある状態で通話を行う通話モードである。これに加えて、本実施形態の携帯電話端末１００は、ハンズフリーモードを実行可能である。ハンズフリーモードとは、利用者が携帯電話端末１００を手に持つことなく、利用者の顔から離れた位置に携帯電話端末１００があっても通話が可能な通話モードである。本実施形態の携帯電話端末１００は、通話モードとして通常モードとハンズフリーモードとを切り替えて実行可能である。
【００３７】
第１の筐体１１０の裏面側の内部には、コイル１１３が設けられている。
コイル１１３は、後述するホルダ５００のコイル５１１から、後述する充電池１６３の充電に必要なエネルギを伝えられる。
【００３８】
第２の筐体１２０の表面には、メインディスプレイ１２１と、通常モードスピーカ１２２とが設けられている。一方、第２の筐体１２０の裏面には、サブディスプレイ１２３が設けられている。
【００３９】
メインディスプレイ１２１は、携帯電話端末１００の各種情報を表示する表示部である。
通常モードスピーカ１２２は、通常モードを実行しているときの通話時の音声を出力するスピーカである。
サブディスプレイ１２３は、収納形態において各種情報を表示する表示部である。
【００４０】
携帯電話端末１００の収納形態における上端となる軸部１３０には、ハンズフリーマイク１３１と、ハンズフリースピーカ１３２とが設けられている。ここで、ハンズフリーマイク１３１及びハンズフリースピーカ１３２を上端に配置したのは、携帯電話端末１００を後に図４及び図５に示すように、ポケットに入れたり腰に装着したりした状態で、ハンズフリーマイク１３１及びハンズフリースピーカ１３２が利用者の顔に近い側となるようにするためである。したがって、上端に限らず、例えば、下端にこれらをまとめて配置し、ハンズフリーモードを使用する場合に携帯電話端末を逆さに置いたり装着したりするような形態としてもよい。
【００４１】
ハンズフリーマイク１３１は、通話モードとしてハンズフリーモードを実行しているときに、通話時の音声を入力するマイクである。ハンズフリーマイク１３１は、携帯電話端末１００の収納形態における上方からの音声のみを効率よく集音できるように、指向性の高いマイクが用いられており、集音性の高い方向が上方を向くように配置されている。また、本実施形態のハンズフリーマイク１３１は、指向性マイク１３１ａと無指向性マイク１３１ｂとを組み合わせて１つのマイクとして配置されている。指向性マイク１３１ａは、集音性の高い方向が上方を向くように配置されている。一方の無指向性マイク１３１ｂは、上方を含む広範囲からの音声を集音する。この無指向性マイク１３１ｂは、利用者の声以外の雑音である環境音を集音する環境音マイクである。ハンズフリーマイク１３１では、指向性マイク１３１ａにより得られた音声成分と、無指向性マイク１３１ｂにより得られた音声成分とを比較して、雑音成分（環境音成分）を音声処理により抑制して後述のマイク入力制御部１５５へと出力する。
【００４２】
ハンズフリースピーカ１３２は、通話モードとしてハンズフリーモードを実行しているときに、通話時の音声を出力するスピーカである。ハンズフリースピーカ１３２は、携帯電話端末１００の収納形態における上方へのみ音声を効率よく伝えることができるように、指向性の高いスピーカが用いられており、指向性のピーク方向が上方を向くように配置されている。
【００４３】
図４は、本実施形態の携帯電話端末１００の保持に用いるホルダ５００を示す図である。
ホルダ５００は、本体部５１０と、コイル５１１と、側端規制部５２０と、下端規制部５３０と、ベルト穴５４０とを備えている。ホルダ５００は、携帯電話端末１００を保持して人体に装着可能とするものであるが、携帯電話端末１００に対して充電を行うことができる充電装置としての機能も有している。
【００４４】
本体部５１０は、充電面５１０ａを有している。本体部５１０は、充電面５１０ａの内部に後述のコイル５１１を内包しており、携帯電話端末１００のコイル１１３が設けられている第１の筐体１１０の裏面を載せる面が形成されている。
【００４５】
コイル５１１は、携帯電話端末１００のコイル１１３との間で電磁誘導を生じさせる。コイル５１１とコイル１１３との間で生じる電磁誘導によって、コイル５１１からコイル１１３へエネルギが伝えられ、携帯電話端末１００の充電池１６３への充電が行われる。
【００４６】
側端規制部５２０は、ホルダ５００が保持する携帯電話端末１００の左右方向の位置、及び、充電面５１０ａに直交する方向の位置を規制する規制手段である。
【００４７】
下端規制部５３０は、充電面５１０ａに載せられる携帯電話端末１００の上下方向の位置を規制する規制手段である。下端規制部５３０は、支持部材５３１を充電面５１０ａの下方に左右一組ずつ備えている。
支持部材５３１は、充電面５１０ａに直交する方向に突出した円柱形状の部材である。
【００４８】
図５は、本実施形態の携帯電話端末１００の内部構成と、ホルダ５００の内部構成とを示すブロック図である。
携帯電話端末１００は、上述した操作キー１１１と、通常モードマイク１１２と、通常モードスピーカ１２２と、メインディスプレイ１２１と、サブディスプレイ１２３と、ハンズフリーマイク１３１と、ハンズフリースピーカ１３２と、コイル１６１との他に、携帯電話制御部１５１と、通話モード検出部１５２と、スピーカ制御部１５３と、音声認識部１５４と、マイク入力制御部１５５と、充電部１６２と、充電池１６３と、認証部１６４とを備えている。
【００４９】
携帯電話制御部１５１は、ＣＰＵやメモリと、これらにより実行されるコンピュータプログラムにより構成され、携帯電話端末１００の動作を統括して制御する制御部である。携帯電話制御部１５１は、操作キー１１１による操作入力結果、及び、音声認識部１５４による認識結果に応じて制御を行う。また、携帯電話制御部１５１は、通話モード検出部１５２による検出結果に応じて通話モードを通常モードとハンズフリーモードとのいずれかに切り替える。
また、携帯電話制御部１５１は、認証部１６４の認証結果に応じて、通話モードのハンズフリーモードへの切り替えを行わせずに、強制的に通常モードとする。
【００５０】
通話モード検出部１５２は、通話モードとして通常モードとハンズフリーモードとのいずれを利用者が選択したのかを検出する。具体的には、通話モード検出部１５２は、着信があったときに、終了キー１１１ｂ以外の操作キー１１１が操作されたか、及び、音声認識部１５４により通話開始を指示する音声が認識されたかによって、利用者が選択した通話モードを検出する。通話モード検出部１５２は、検出結果を携帯電話制御部１５１へ伝える。
【００５１】
スピーカ制御部１５３は、通話モード検出部１５２の検出結果に応じて、ハンズフリースピーカ１３２の制御を行う。
【００５２】
音声認識部１５４は、マイク入力制御部１５５を介して得たハンズフリーマイク１３１からの音声から、利用者が指示する内容を、利用者の音声を音声認識処理して認識する。本実施形態では、「電話に出る」という音声と、「電話を切る」という音声とを認識する。音声認識部１５４は、音声認識の結果、上記「電話に出る」又は「電話を切る」という音声を認識した場合に、その結果を通話モード検出部１５２へ伝える。また、本実施形態の音声認識部１５４は、利用者個人の音声を認識する。したがって、利用者以外の人物が「電話に出る」又は「電話を切る」という音声を発しても、その場合は、利用者がその旨のコマンド（音声）を発していないものとして取り扱う。
【００５３】
マイク入力制御部１５５は、通話モード検出部１５２の検出結果に応じて、ハンズフリーマイク１３１の制御を行う。
【００５４】
充電部１６２は、コイル１６１を介して得た電力を用いて充電池１６３への充電を行う回路である。
【００５５】
充電池１６３は、携帯電話端末１００が用いる電力を供給する電源であり、充電部１６２により充電が行われる。
【００５６】
上述したコイル１６１と、充電部１６２と、充電池１６３とにより、ホルダ５００との間で無接点充電を行う無接点充電部が形成されている。
【００５７】
認証部１６４は、ホルダ５００に対して携帯電話端末１００が保持されたことを認証する。本実施形態では、ホルダ５００が充電機能を備えていることから、携帯電話端末１００とホルダ５００との組み合わせで充電を行えるのか否かの判断をするためにも、この認証部１６４の認証結果を用いている。認証部１６４の認証結果は、携帯電話制御部１５１へ送られる。
【００５８】
次に、本実施形態の携帯電話端末１００の使用方法と動作について説明する。
図６は、携帯電話端末１００の使用形態の一例を示す図である。
本実施形態の携帯電話端末１００は、ハンズフリーモードを実行可能であることから、図６に示すようにベルト６００に取り付けたホルダ５００に装着した形態でハンズフリー通話を行える。
【００５９】
図７は、携帯電話端末１００の着信から通話終了までの動作を示すフローチャートである。
図７の動作を開始する前には、予め、利用者が通常モードスピーカ１２２の音量設定と、ハンズフリーマイク１３１の入力設定として雑音抑制を行うか否かの設定とを行う。なお、ハンズフリースピーカ１３２の音量設定についても、予め行うようにしてもよい。
【００６０】
ステップ（以下、単にＳとする）１０１では、携帯電話端末１００に電話の着信がある。
【００６１】
Ｓ１０２では、携帯電話端末１００がホルダ５００に装着されており、充電認証が正しくなされているか否かの判断を行う。この充電認証とは、携帯電話端末１００とホルダ５００との間で正しく充電が行えるものであるのか否かを確認するための認証である。
この充電認証が正しく行われている場合には、携帯電話端末１００がホルダ５００に正しく装着されており、携帯電話端末１００の向きが所定の向きに保持されている。よって、Ｓ１０２において、充電認証が正しくされている場合（Ｙｅｓ）には、ハンズフリーモードの利用が可能であることから、Ｓ１０３へ進む。
一方、充電認証が正しく行われていない場合には、携帯電話端末１００の向きが所定の向きにある保証がない。よって、Ｓ１０２において、充電認証が正しく行われていない場合（Ｎｏ）には、強制的に通常モードとするために、Ｓ１０５へ進む。
【００６２】
ここで、認証を行うときの携帯電話端末１００とホルダ５００との間における情報のやり取りについて説明する。
図８は、携帯電話端末１００とホルダ５００との間における認証動作を説明する図である。
ホルダ５００に携帯電話端末１００が装着されると、ホルダ５００から携帯電話端末１００へ充電に関わる制御信号が送られる。携帯電話端末１００は、ホルダ５００からの制御信号に対する応答をホルダ５００に対して返送することにより、ｐｉｎｇが実行される。ホルダ５００は、携帯電話端末１００からの応答が無い場合、ｐｉｎｇを停止する。また、携帯電話端末１００が既に十分に充電されている場合には、携帯電話端末１００は、電力伝送完了の信号をホルダ５００へ送る。
ホルダ５００は、携帯電話端末１００を受電デバイスとして検出（ｐｉｎｇが成功）すると、受電デバイスとしての携帯電話端末１００の認証と構成の確認とを行う。ホルダ５００は、「電力伝送契約なし」、「予期せぬパケット」、「伝送エラー」、「タイムアウト」等の情報を検出すると、充電面５１０ａ上の物体を検出する初期状態へ戻る。
デバイスの認証、構成の確認が完了すると、電力伝送が実施される。このとき、ホルダ５００が「電力伝送契約違反」、「予期せぬパケット」、「タイムアウト」等の情報を検出すると、充電面５１０ａ上の物体を検出する初期状態へ戻る。また、携帯電話端末１００が既に十分に充電された場合には、携帯電話端末１００は、電力伝送完了の信号をホルダ５００へ送る。
【００６３】
Ｓ１０３では、音声認識部１５４が、ハンズフリーマイク１３１からの音声入力に対する音声認識を開始する。
【００６４】
Ｓ１０４では、通話モード検出部１５２が、通話モードとして通常モードとハンズフリーモードとのいずれを利用者が選択したのかを検出する。操作キー１１１が押されたことにより、通常モードが選択されたときには、Ｓ１０５へ進む。一方、「電話に出る」という音声によりコマンド入力されたことにより、ハンズフリーモードが選択されたときには、Ｓ１０７へ進む。
【００６５】
Ｓ１０５では、携帯電話制御部１５１は、通話モードとして通常モードを選択して実行する。
Ｓ１０６では、携帯電話制御部１５１は、通常モードスピーカ１２２の音量を利用者による設定値とする等、通常モードによる通話に必要な各種設定を行う。
Ｓ１０７では、通常モードによる通話を開始する。
【００６６】
Ｓ１０８では、音声認識部１５４が、音声認識を継続する。
Ｓ１０９では、携帯電話制御部１５１は、通話モードとしてハンズフリーモードを選択して実行する。
【００６７】
Ｓ１１０では、携帯電話制御部１５１は、音声の出力先をハンズフリースピーカ１３２とし、このハンズフリースピーカ１３２の音量を大音量に設定する等、ハンズフリーモードによる通話に必要な各種設定を行う。
【００６８】
Ｓ１１１では、ハンズフリーモードにより通話を開始する。
Ｓ１１２では、通話を終了する。ここで、通常モードとハンズフリーモードとのいずれのモードにおいても、終了キー１１１ｂが押された場合には、通話を終了する。また、ハンズフリーモードの場合には、「電話を切る」という音声を認識したときに終了させるように設定することもできる。
【００６９】
以上説明したように、本実施形態によれば、着信があったときに、手を使うことなく電話に出ることができる。また、「電話を切る」という音声を認識すれば、着信応答から通話終了まで一切手を使うことなく携帯電話端末１００を利用することが可能となる。さらに、ハンズフリーマイク１３１及びハンズフリースピーカ１３２に指向性を持たせたので、音声認識の精度が高くなり、また、秘話性も高めることができる。さらにまた、ハンズフリーマイク１３１は、雑音成分を抑制することができるので、より正確に利用者の音声を認識できるとともに、通話をより明瞭な音声で行うことができる。本実施形態の携帯電話端末１００は、上述したようにハンズフリーで着信から通話終了まで行えるので、例えば、手に障害を持つ障害者にとっても有益な装置となる。その上、携帯電話端末１００は、ホルダ５００に装着されていることを認証して、認証が正しく行われていない場合には、強制的に通常モードとするので、携帯電話端末１００がハンズフリーモードに適した状態で保持されている状態で、ハンズフリーモードを実行できる。
【００７０】
以上、この発明の実施形態につき、図面を参照して詳述してきたが、具体的な構成はこの実施形態に限られるものではなく、この発明の要旨を逸脱しない範囲の設計等も含まれる。
【００７１】
（変形形態）
（１）本実施形態において、ハンズフリーマイク１３１及びハンズフリースピーカ１３２を上端に設けた形態を例に挙げて説明した。これに限らず、例えば、ハンズフリーマイク及びハンズフリースピーカは、携帯電話端末の側端部や下端部等、他の場所に設けられていてもよい。その場合、通常使用されるときの利用者の顔の向きにハンズフリーマイク及びハンズフリースピーカの指向性の軸方向を合わせるとよい。
【００７２】
（２）本実施形態において、携帯電話端末の姿勢を検出する姿勢検出部を設けて、姿勢検出結果に応じて携帯電話制御部が、警告等を行うようにしてもよい。具体的には、姿勢検出部によってハンズフリーマイク及びハンズフリースピーカの指向性の方向が上方を向いていないと判断される場合に、携帯電話制御部が、ハンズフリースピーカから警告音やガイド音声等を発するとよい。
【００７３】
（３）本実施形態において、携帯電話端末は、折りたたみ可能な形態である例を挙げて説明した。これに限らず、例えば、２つの筐体が互いにスライド移動するいわゆるスライド型であってもよいし、移動可能な筐体部分を持たない、いわゆるストレート型の形態をした携帯電話端末であってもよい。
【００７４】
（４）本実施形態において、携帯電話端末１００は、ホルダ５００との間で無接点充電を行うことができる例を挙げて説明した。これに限らず、例えば、ホルダに充電機能が無く、単に携帯電話端末１００が装着されたことを認証することができるように構成されているものであってもよい。
【００７５】
（５）本実施形態において、携帯電話端末１００は、ホルダ５００との間で、コイルを利用して認証情報をやり取りする例を挙げて説明した。これに限らず、例えば、他の形態の近距離無線通信を利用してもよいし、接点を介した通信により認証情報のやり取りを行うようにしてもよい。
【００７６】
なお、本実施形態及び変形形態は、適宜組み合わせて用いることもできるが、詳細な説明は省略する。
【符号の説明】
【００７７】
１００    携帯電話端末
１１０    第１の筐体
１１１    操作キー
１１１ａ  発信キー
１１１ｂ  終了キー
１１２    通常モードマイク
１１３    コイル
１２０    第２の筐体
１２１    メインディスプレイ
１２２    通常モードスピーカ
１２３    サブディスプレイ
１３０    軸部
１３１    ハンズフリーマイク
１３１ａ  指向性マイク
１３１ｂ  無指向性マイク
１３２    ハンズフリースピーカ
１５１    携帯電話制御部
１５２    通話モード検出部
１５３    スピーカ制御部
１５４    音声認識部
１５５    マイク入力制御部
１６１    コイル
１６２    充電部
１６３    充電池
１６４    認証部
５００    ホルダ
５１０    本体部
５１０ａ  充電面
５１１    コイル
５２０    側端規制部
５３０    下端規制部
５３１    支持部材
５４０    ベルト穴
６００    ベルト
【図１】
2013074574.tif 000003
【図２】
2013074574.tif 000004
【図３】
2013074574.tif 000005
【図４】
2013074574.tif 000006
【図５】
2013074574.tif 000007
【図６】
2013074574.tif 000008
【図７】
2013074574.tif 000009
【図８】
2013074574.tif 000010